(57)【特許請求の範囲】
【請求項１】
縦材と横材で枠組み形成されたフレーム内に横引き配管が配設され、該フレームの前面には前板が、該フレームの天面には取り外し可能に天板が設けられて、前記前板に自動水栓付き洗面器が設置されてなる洗面器ユニットにおいて、
前記フレームは、左右両端側の前記縦材の上端に前後方向に延びる前後材がそれぞれ固定され、左右の前後材の前端側上面に掛け渡して左右方向に延びる前横材が取り付けられ、左右の前後材の後端側上面に掛け渡して左右方向に延びる後横材が取り付けられ、該前横材および後横材には、それぞれ左右両端側に、ビスを通すビス孔が形成されており、該ビス孔内に上方からビスを通し、該ビスを左右の前後材に締め付けることで、前横材および後横材の底面が左右の前後材の上面に固定され、ビスを外すことで、前横材および後横材は取り外すことができるように構成されてなり、
前記フレーム内には、横引き配管より上方に前記自動水栓の機能部が設けられている
ことを特徴とする自動水栓付き洗面器ユニット。
【請求項２】
前記自動水栓の機能部は、分割可能なケーシングを有しており、ケーシングが上下方向に分割可能となるように配置されている
請求項１に記載の自動水栓付き洗面器ユニット。
【発明の詳細な説明】
【技術分野】
【０００１】
本発明は、自動水栓付きの洗面器ユニットに関するものである。
【背景技術】
【０００２】
従来、特許文献１に開示されているように、給水管，排水管が横引き状に内装された配管ユニットの上面側に、自動水栓を備えた洗面器が設置され、配管ユニットの前面には開閉可能な扉が設けられて、配管ユニット内に、自動水栓を開閉制御するための制御ボックスを隠蔽状に設けた構造の壁付け配管ユニットが存在する。
【特許文献１】特開２００１−２７９７４０号公報
【発明の開示】
【発明が解決しようとする課題】
【０００３】
上記従来の洗面器を備えた配管ユニットでは、配管ユニットの奥行寸法が大きくなり、前面側には扉が設けられているため、車椅子では近づくことができず、車椅子の使用者は洗面器を使用できないという問題点があり、また、配管ユニット内に隠蔽されている制御ボックス等は、メンテナンス時等に、低い姿勢で奥側へ手を入れて作業することとなり、メンテナンス等が困難であるという問題点があった。
また従来、配管ユニットの前板に自動水栓付き洗面器を取り付けることがあるが、自動水栓の制御ボックスが洗面器の下方の前板に取り付けられて露出するため、車椅子の使用者が洗面器に近づく時に洗面器の下方の制御ボックスが邪魔になり、洗面器に十分に近づけないことがあった。
【課題を解決するための手段】
【０００４】
本発明は、施工およびメンテナンス等の作業が容易に行え、車椅子の使用者でも使いやすい自動水栓付き洗面器ユニットの提供を目的とし、この目的を達成するために以下の手段を採った。
本発明は、縦材と横材で枠組み形成されたフレーム内に横引き配管が配設され、該フレームの前面には前板が、該フレームの天面には取り外し可能に天板が設けられて、前記前板に自動水栓付き洗面器が設置されてなる洗面器ユニットにおいて、
前記フレームは、左右両端側の前記縦材の上端に前後方向に延びる前後材がそれぞれ固定され、左右の前後材の前端側上面に掛け渡して左右方向に延びる前横材が取り付けられ、左右の前後材の後端側上面に掛け渡して左右方向に延びる後横材が取り付けられ、該前横材および後横材には、それぞれ左右両端側に、ビスを通すビス孔が形成されており、該ビス孔内に上方からビスを通し、該ビスを左右の前後材に締め付けることで、前横材および後横材の底面が左右の前後材の上面に固定され、ビスを外すことで、前横材および後横材は取り外すことができるように構成されてなり、
前記フレーム内には、横引き配管より上方に前記自動水栓の機能部が設けられている
ことを要旨とする。
【発明の効果】
【０００５】
本発明の自動水栓付き洗面器ユニットにおいては、前板の前面に自動水栓付き洗面器が設置されており、また、自動水栓の機能部が外部に露出していないため、車椅子の使用者が洗面器に十分に近づいて使用することができる。
また、フレーム内に隠蔽される自動水栓の機能部は、フレームの上端側の前横材および後横材および天板を取り外すことにより、容易に施工およびメンテナンスを行うことができ、また、機能部の交換作業等も容易に行うことができ、作業時に低い姿勢をとる必要がなく、作業が楽に行えるものとなる。また、従来に比べて配管ユニットの奥行寸法を小さくすることができる。
【０００６】
また、本発明の自動水栓付き洗面器ユニットにおいて、前記自動水栓の機能部は、分割可能なケーシングを有しており、ケーシングが上下方向に分割可能となるように配置されているものとすることもできる。
こうすれば、ケーシングの上面側を外して、自動水栓の機能部のメンテナンスをフレームの上面側から容易に行うことができる。
【発明を実施するための最良の形態】
【０００７】
次に、本発明を実施するための最良の形態を実施例を用いて説明する。
図１は、洗面器ユニットと、手洗器ユニットと、便器ユニットの設置状態の平面構成図であり、図２は、分解斜視図である。また図３は、各ユニットに洗面器，手洗器，便器を取り付ける前の外観斜視図であり、また図４は、各ユニットを構成するフレームの配置状態の斜視構成図である。
【０００８】
図において、便器ユニット１６に対し手洗器ユニット９が直交状に配置されており、手洗器ユニット９の端部に横並びに洗面器ユニット１が配置されて、全体としてＬ型にレイアウトされている。洗面器ユニット１および手洗器ユニット９および便器ユニット１６は、それぞれ壁面および床面にビス等で固定されて設置されるものである。
【０００９】
洗面器ユニット１は、フレーム２の前面に前板３が取り付けられ、フレーム２の天面には天板４が取り付けられ、フレーム２の側面に側板５が取り付けられ、前板３の前面に、前方へ突出状に洗面器６が設置されて構成されている。
また、手洗器ユニット９は、フレーム１０の前面に、前板１１（前板本体１１ａと着脱前板１１ｂで構成される）が取り付けられ、フレーム１０の天面には天板１２が取り付けられ、フレーム１０の側面に側板２４が取り付けられ、前板本体１１ａの前面に、手洗器１３とペーパーホルダー１４とＬ型手摺り１５が設置されたものである。
なお、前板本体１１ａには、便器２０に取り付けられる温水洗浄便座のリモコン２５と、便器洗浄ボタンＸと、非常用呼び出しボタンＹが設けられる。
【００１０】
また、便器ユニット１６は、フレーム１７の前面に前板１８（上前板１８ａ，下前板１８ｂ，側前板１８ｃで構成される）が取り付けられ、フレーム１７の天面には天板１９が取り付けられ、フレーム１７の側面に側板２３が取り付けられ、下前板１８ｂの前面に便器２０が設置され、上前板１８ａの前面には、回動可能な手摺り２１が手洗器ユニット９と反対側の便器２の側方に取り付けられ、また、上前板１８ａの便器２の上方には、便器２０に着座した時に背中をもたれ掛けることのできる背当て部材２２が設置されている。
【００１１】
各ユニット１，９，１６を構成するフレーム２，１０，１７は、それぞれ縦材と横材で枠組み形成されたものであり、図４に示すように、フレーム２，１０，１７内には、横引き状に排水横引き配管２６が配管されており、この排水横引き配管２６の所定位置には接続部２６ａ，２６ｂ，２６ｃが設けられ、接続部２６ａには、洗面器６の排水口６ａに接続した排水トラップ管６ｂの下端が接続されるものであり、接続部２６ｂには、手洗器１３の排水トラップ管１３ａが接続されるものであり、接続部２６ｃには、便器２０の排水口が接続されるものである。
この排水横引き配管２６の下流端は、図示しない下水管に接続されるものである。
また、排水横引き配管２６からフレーム１０内で立ち上げ状に通気管２７が配管されており、フレーム１７内においても通気管２７が立ち上げ状に配管されている。
【００１２】
なお、図５は、洗面器ユニット１と、手洗器ユニット９の正面拡大構成図であり、図６は、洗面器ユニット１のフレーム２と、手洗器ユニット９のフレーム１０の正面拡大図である。
洗面器ユニット１を構成するフレーム２は、縦方向の縦材２ａ，２ａ，２ａ，２ａが左右に間隔をおいて四本立設され、この縦材２ａ，２ａ，２ａ，２ａの下端側は左右方向に延びる横材２ｂで連結されており、左右両端側の縦材２ａ，２ａの上端には、前後方向に延びる前後材２ｅ，２ｅの前端がそれぞれ溶接で固定され、前後材２ｅ，２ｅの後端下面には、壁に固定するための壁固定金具２ｆが溶接で設けられている。
また、図７に平面図で示すように、左右の前後材２ｅ，２ｅの前端側上面に掛け渡して左右方向に延びる前横材２ｃが取り付けられ、左右の前後材２ｅ，２ｅの後端側上面に掛け渡して左右方向に延びる後横材２ｄが取り付けられている。
【００１３】
この前横材２ｃおよび後横材２ｄは、それぞれ左右両端側に、ビス３５を通すビス孔３５ａが形成されており、ビス孔３５ａ内に上方からビス３５を通し、ビス３５を左右の前後材２ｅ，２ｅに締め付けて、前横材２ｃおよび後横材２ｄの底面が左右の前後材２ｅ，２ｅの上面に固定されたものであり、ビス３５を外すことで、フレーム２の上端の前横材２ｃおよび後横材２ｄは取り外すことができるように構成されている。
なお、この前横材２ｃおよび後横材２ｄの上面に取り付けられる天板４は、面ファスナーで容易に着脱できるように構成されている。
なお、図６中３１は、洗面器６を引っ掛けるための引っ掛けフックである。
【００１４】
なお、手洗器ユニット９を構成するフレーム１０は、洗面器ユニット１を構成するフレーム２とほぼ同様の構造となっており、縦方向の縦材１０ａ，１０ａ，１０ａ，１０ａが左右に間隔をおいて四本立設され、この縦材１０ａ，１０ａ，１０ａ，１０ａの下端側は左右方向に延びる横材１０ｂで連結されており、左右両端側の縦材１０ａ，１０ａの上端には、前後方向に延びる前後材１０ｃの前端が固定され、前後材１０ｃの後端下面には、壁固定金具１０ｄが設けられている。また、左右の前後材１０ｃ，１０ｃに掛け渡して左右方向に延びる横材１０ｂが取り付けられている。
なお、この横材１０ｂの上面に取り付けられる天板１２は、面ファスナーで容易に着脱できるように構成されている。
【００１５】
また、便器ユニット１６を構成するフレーム１７も、洗面器ユニット１を構成するフレーム２とほぼ同様の構造となっており、縦方向の縦材１７ａ，１７ａ，１７ａ，１７ａが左右に間隔をおいて四本立設され、この縦材１７ａ，１７ａ，１７ａ，１７ａの下端側は左右方向に延びる横材１７ｂで連結されており、左右両端側の縦材縦材１７ａ，１７ａ，の上端には、前後方向に延びる前後材１７ｃの前端が固定され、前後材１７ｃの後端下面には、壁固定金具１７ｄが設けられている。また、左右の前後材１７ｃ，１７ｃに掛け渡して左右方向に延びる横材１７ｂが取り付けられている。
なお、この横材１０ｂの上面に取り付けられる天板１９は、面ファスナーで容易に着脱できるように構成されている。
【００１６】
図６に示すように、フレーム２，１０内には、前記排水横引き配管２６の上方に、横引き状に給水横引き配管２８が配管されており、この給水横引き配管２８は上流側が水道管に接続されて水道水が供給されるものである。
フレーム２内には、給水横引き配管２８から上向きに立ち上げて止水栓２９が接続されており、この止水栓２９の側方に、自動水栓の機能部３０が配置されている。
自動水栓の機能部３０は分割可能なケーシングを有しており、ケーシングの一部となるケーシングカバー３０ａが機能部から着脱可能となっている。この機能部３０は、ケーシングが上下方向に分割可能となるようにフレーム２内に上向きに配置されており、ケーシングカバー３０ａが上方向へ取り外し可能となっている。
一方、フレーム１０内においては、フレーム１０の左端側に給水横引き配管２８から上向きに立ち上げて止水栓３２が接続され、止水栓３２の側方に自動水栓の機能部３３が配置されている。
この機能部３３は、ケーシングが前後方向に分割可能となるようにフレーム２内に前向きに配置されており、ケーシングカバーが前方向へ取り外し可能となっている。
【００１７】
この自動水栓の機能部３０，３３のケーシング内には、ストレーナや電磁弁や電子部品等の機能本体部が内蔵されており、ケーシングカバー３０ａを外してメンテナンス等を行うことができるように構成されている。
また、止水栓２９，３２の上面には、図７および図８に示すように、止水栓の開閉操作を行うためのマイナスドライバーを嵌め込むドライバー溝２９ａが形成されている。
【００１８】
この自動水栓の機能部３０は、洗面器６に立設されている吐水部７の吐水口に手をかざした時に、センサーが手を検知すると、自動的に電磁弁を開けて、吐水部７の吐水口から吐水させることができるものである。
なお、図中８は、洗面器６に取り付けられた石鹸入れである。また、図中６ａは、洗面器６の排水口である。
また同様に、手洗器１３の自動水栓の機能部３３においても、吐水口に手をかざした時に、センサーが手を検知すると、自動的に電磁弁を開けて、手洗器１３内に自動吐水できるように構成されている。
【００１９】
なお、設置やメンテナンス時に、止水栓２９のドライバー溝２９ａにマイナスドライバーを上方から差し込んで回すことにより、吐水の流量調整を行うことができ、作業者は立った状態でフレーム２の上方から止水栓２９の開閉および流量調整が容易に行えるものである。
また、自動水栓の機能部３０の奥行き寸法は、前横材２ｃと後横材２ｄの間の前後方向の隙間より大きく、平面視において、前横材２ｃと後横材２ｄが自動水栓の機能部３０の一部を覆う形となっており、自動水栓の機能部３０はフレーム２から取り出せないが、図７の状態から、ビス３５を外して、前横材２ｃおよび後横材２ｄを取り外すと、図８のような状態となり、この状態では、フレーム２内から自動水栓の機能部３０を外部に取り出すことができ、機能部３０の交換や修理作業等が容易に行えるものである。
また、前横材２ｃおよび後横材２ｄを取り外した状態で、フレーム２内に止水栓２９および機能部３０を容易に設置することができ、施工も容易に行えるものである。
【００２０】
なお、自動水栓の機能部３０はケーシングカバー３０ａが上向きに取り外し可能となっており、前横材２ｃ或いは後横材２ｄを取り外した状態で、上面側のケーシングカバー３０ａを取り外して、フレーム２の上方から自動水栓の機能部３０のメンテナンス等を行うこともでき、施工およびメンテナンス作業が容易なものとなるように構成されている。
なお、止水栓２９，３２および自動水栓の機能部３０，３３は、給水横引き配管２８の上方に設けられるため、給水横引き配管２８に干渉することなく良好に設置できるものである。
特に、洗面器ユニット１では、メンテナンス時等に低い姿勢をとる必要がなく、立った状態で、容易に止水栓２９の開閉および流量調節あるいは機能部３０のメンテナンス等を行うことができるものである。
【００２１】
なお、手洗器ユニット９においては、図５に示すように、前板１１の左端側は別体の着脱前板１１ｂで構成されており、この着脱前板１１ｂには、便器ユニット１６が配置される部分に切欠部Ｃが形成されており、この着脱前板１１ｂは、天板１２を取り外した後に単独で前側へ取り外しできるように、フレーム１０にフック等で引っ掛けて取り付けられており、この着脱前板１１ｂを単独で取り外すと、止水栓３２および自動水栓の機能部３３が露出するため、着脱前板１１ｂを取り外した状態で前面側から止水栓３２の調節および自動水栓の機能部３３のメンテナンス等が行えるものである。
【００２２】
このようにフレーム２，１０内に止水栓２９，３２および自動水栓の機能部３０，３３を隠蔽させて、かつ、メンテナンス可能に設置することができ、フレーム２，１０の前面にそれぞれ前板３，１１ａ，１１ｂを取り付けて、その前面に洗面器６，手洗器１３を設置する構成であるため、フレーム２，１０の奥行寸法は小さくすることができ、壁面から突出する厚みを薄く設定できるものである。
また、前面側へ突出して洗面器６は設置されるため、前方側から車椅子で容易に洗面器６に近づいて、洗面器６を使用することができ、従来のように、機能部３０，３３は前板３，１１の前面に露出しないために、設置状態の意匠性が向上したものとなる。
【００２３】
なお、本発明において、洗面器には手洗器も含まれるものである。
また、自動水栓付き洗面器は、自動水栓と洗面器が一体になったものだけでなく、水栓が自動水栓である洗面器ユニットであれば、一体であるか別体であるかに関係なく、洗面器の上方の前板に自動水栓が取り付けられるものも含むものである。
【００２４】
なお、このように、給水横引き配管２８が配設されたフレーム２内に、給水横引き配管２８よりも上方に自動水栓の機能部３０を上向きに設け、フレーム２の上端の横材２ｃ，２ｄと天板４を取り外し可能とした構造は、洗面器（手洗器）の他に、流しにも適用することができ、施工およびメンテナンスが容易なものとなる。
【図面の簡単な説明】
【００２５】
【図１】洗面器ユニット，手洗器ユニット，便器ユニットの設置状態の平面構成図である。
【図２】図１の構成部材の分解斜視図である。
【図３】洗面器ユニット，手洗器ユニット，便器ユニットに洗面器，手洗器，便器を取り付ける前の斜視構成図である。
【図４】洗面器ユニット，手洗器ユニット，便器ユニットを構成する各フレームの斜視構成図である。
【図５】洗面器ユニットと手洗器ユニットの正面拡大構成図である。
【図６】洗面器ユニットと手洗器ユニットを構成するフレームの正面拡大構成図である。
【図７】洗面器ユニットの天板を取り外した状態の平面拡大構成図である。
【図８】さらに洗面器ユニットのフレームの上端の横材を取り外した状態の平面構成図である。
【符号の説明】
【００２６】
１  洗面器ユニット
２  フレーム
２ａ  縦材
２ｂ  横材
２ｃ  前横材
２ｄ  後横材
２ｅ  前後材
２ｆ  壁固定金具
３  前板
４  天板
６  洗面器
６ｂ  排水トラップ
７  自動水栓の吐水部
９  手洗器ユニット
１０  フレーム
１１  前板
１１ａ  前板本体
１１ｂ  着脱前板
１３  手洗器
１６  便器ユニット
１７  フレーム
１８  前板
１８ａ  上前板
１８ｂ  下前板
１８ｃ  側前板
１９  天板
２０  便器
２１  手摺り
２６  排水横引き配管
２８  給水横引き配管
２９，３２  止水栓
３０，３３  自動水栓の機能部
３０ａ  ケーシングカバー
３５  ビス
３５ａ  ビス孔
【図１】
0005455323.tif 000002
【図２】
0005455323.tif 000003
【図３】
0005455323.tif 000004
【図４】
0005455323.tif 000005
【図５】
0005455323.tif 000006
【図６】
0005455323.tif 000007
【図７】
0005455323.tif 000008
【図８】
0005455323.tif 000009